(57)【要約】【課題】操作キーを目視しなくても確実に操作を行い得る指入力デバイスを提供する。【解決手段】複数のスイッチ手段（ＳＷ１〜ＳＷ１２）と、スイッチ手段（ＳＷ１〜ＳＷ１２）を人体の手の表面の複数の所定部位に互いの位置を異ならせて着脱可能に装着する装着手段（１２）と、スイッチ手段（ＳＷ１〜ＳＷ１２）の操作が検出された際に、操作されたスイッチ手段（ＳＷ１〜ＳＷ１２）に対応するキー信号を出力する制御手段（１３）とを備える指入力デバイス１１である。【選択図】図１
2012181792.tif 000002
【特許請求の範囲】
【請求項１】
複数のスイッチ手段と、
前記スイッチ手段を人体の手の表面の複数の所定部位に互いの位置を異ならせて着脱可能に装着する装着手段と、
前記スイッチ手段の操作が検出された際に、操作されたスイッチ手段に対応するキー信号を出力する制御手段とを備えることを特徴とする指入力デバイス。
【請求項２】
前記所定部位は、前記手の手指の腹部および爪部の少なくとも一方を含むことを特徴とする請求項１に記載の指入力デバイス。
【請求項３】
前記装着手段は、前記人体の手に装着された状態で前記所定部位に対応する位置に前記スイッチ手段が取り付けられた手袋であることを特徴とする請求項１または２に記載の指入力デバイス。
【請求項４】
前記装着手段は、前記人体の手に装着された状態で前記所定部位に対応する位置に前記スイッチ手段が取り付けられた指サックであることを特徴とする請求項１または２に記載の指入力デバイス。
【請求項５】
前記装着手段は、前記所定部位に前記スイッチ手段を貼着する貼着部材であることを特徴とする請求項１または２に記載の指入力デバイス。
【請求項６】
前記スイッチ手段は、押圧または押圧の解除により接点が開閉するプッシュキーであることを特徴とする請求項１〜５の何れか一項に記載の指入力デバイス。
【請求項７】
人体の親指の先端部に着脱可能に装着されるスイッチ手段と、
前記親指の先端部の所定の基準に対する角度を検出する角度検出手段と、
前記スイッチ手段の操作が検出された際の前記角度検出手段による検出角度に応じたキー信号を出力する制御手段とを備えることを特徴とする指入力デバイス。
【請求項８】
請求項１〜７の何れか一項に記載の指入力デバイスを備えるヘッドマウントディスプレイ。
【発明の詳細な説明】
【技術分野】
【０００１】
本発明は、指入力デバイスに関する。
【背景技術】
【０００２】
特許文献１に記載のようなヘッドマウントディスプレイ（ＨＭＤ）が知られている。このようなヘッドマウントディスプレイをユーザーがその頭部に装着した状態において、表示の切り換えやその他の入力操作を行う場合には、ヘッドマウントディスプレイの耳掛部等に設けられた入力装置としての複数の操作キー（キーボード）等が用いられている。
【先行技術文献】
【特許文献】
【０００３】
【特許文献１】特開平１１−１３６５９８号公報
【発明の概要】
【発明が解決しようとする課題】
【０００４】
しかしながら、ユーザーの頭部に装着されたヘッドマウントディスプレイに設けられた複数の操作キーを操作する場合には、必然的に複数の操作キーを目視して識別することができないので、誤操作する場合があった。
【０００５】
本発明は、操作キーを目視しなくても確実に操作を行い得る指入力デバイスを提供することを目的とする。
【課題を解決するための手段】
【０００６】
本発明に係る指入力デバイスは、複数のスイッチ手段と、前記スイッチ手段を人体の手の表面の複数の所定部位に互いの位置を異ならせて着脱可能に装着する装着手段と、前記スイッチ手段の操作が検出された際に、操作されたスイッチ手段に対応するキー信号を出力する制御手段とを備えることを特徴とする。
【発明の効果】
【０００７】
本発明によれば、操作キーを目視しなくても確実に操作を行い得る指入力デバイスを提供することができる。
【図面の簡単な説明】
【０００８】
【図１】本発明の第１実施形態の指入力デバイスの外観構成を示す正面図である。
【図２】本発明の第１実施形態の指入力デバイスの構成を示すブロック図である。
【図３】本発明の第１実施形態の指入力デバイスを人体の手に装着した状態を示す図である。
【図４】本発明の第１実施形態の指入力デバイスの操作の一例を示す図である。
【図５】本発明の第１実施形態の指入力デバイスの変形例を示す図である。
【図６】本発明の第１実施形態の指入力デバイスの変形例の操作の一例を示す図である。
【図７】本発明の第１実施形態の指入力デバイスの変形例の操作の他の例を示す図である。
【図８】本発明の第２実施形態の指入力デバイスの外観構成を示す正面図である。
【図９】本発明の第２実施形態の指入力デバイスの構成を示すブロック図である。
【図１０】本発明の第２実施形態の指入力デバイスを人体の手に装着した状態を示す図である。
【図１１】本発明の第２実施形態の指入力デバイスの操作の一例を示す図である。
【発明を実施するための形態】
【０００９】
〔第１実施形態〕
以下、本発明の第１実施形態について、図１〜図４を参照して説明する。この第１実施形態の指入力デバイス１１は、ヘッドマウントディスプレイ（ＨＭＤ）を人体の頭部に装着した状態で、人体の手（片手）に装着して用いることができる入力装置（キーボード）である。
【００１０】
第１実施形態の指入力デバイス１１は、複数（本実施形態では１２個）のスイッチ手段としてのスイッチＳＷ（ＳＷ１〜ＳＷ１２）と、これらのスイッチＳＷを人体の手１の表面の複数の所定部位に互いの位置を異ならせて着脱可能に装着する装着手段としての手袋１２と、各スイッチＳＷの操作を検出し、操作されたスイッチＳＷに対応するキー信号を出力する制御手段としての端末部１３と、電気配線１４とを概略備えて構成されている。
【００１１】
この指入力デバイス１１（手袋１２）は左手用である。但し、右手用であってもよい。手袋１２は手１の親指（第一指）１ａが挿入される親指部１２ａ、人差指（第二指）１ｂが挿入される人差指部１２ｂ、中指（第三指）１ｃが挿入される中指部１２ｃ、薬指（第四指）１ｄが挿入される薬指部１２ｄ、小指（第五指）１ｅが挿入される小指部１２ｅ、手のひら１ｆが位置する手のひら部１２ｆ、および手首１ｇが位置する手首部１２ｇを有している。手袋１２の素材としては、手１にフィットするような柔らかい素材、例えば、布、毛糸、フェルト、革、ゴム、ラッテクス、ビニルなどを用いることができる。
【００１２】
各スイッチＳＷとしては、本実施形態では、薄いシート状に形成され、押圧された場合に接点が機械的に閉じて電気的に導通され、押圧が解除されることにより接点が機械的に開いて電気的に導通が切断されるプッシュキーが用いられている。
【００１３】
スイッチＳＷ１〜ＳＷ３は人差指部１２ｂに配置されており、スイッチＳＷ１は人差指１ｂの先端部と第１関節との間の腹部に対応する部分に、スイッチＳＷ２は人差指１ｂの第１関節と第２関節との間の腹部に対応する部分に、スイッチＳＷ３は人差指１ｂの第２関節と第３関節との間の腹部に対応する部分に、それぞれ配置されている。スイッチＳＷ４〜ＳＷ６は中指部１２ｃに配置されており、スイッチＳＷ４は中指１ｃの先端部と第１関節との間の腹部に対応する部分に、スイッチＳＷ５は中指１ｃの第１関節と第２関節との間の腹部に対応する部分に、スイッチＳＷ６は中指１ｃの第２関節と第３関節との間の腹部に対応する部分に、それぞれ配置されている。スイッチＳＷ７〜ＳＷ９は薬指部１２ｄに配置されており、スイッチＳＷ７は薬指１ｄの先端部と第１関節との間の腹部に対応する部分に、スイッチＳＷ８は薬指１ｄの第１関節と第２関節との間の腹部に対応する部分に、スイッチＳＷ９は薬指１ｄの第２関節と第３関節との間の腹部に対応する部分に、それぞれ配置されている。スイッチＳＷ１０〜ＳＷ１２は小指部１２ｅに配置されており、スイッチＳＷ１０は小指１ｅの先端部と第１関節との間の腹部に対応する部分に、スイッチＳＷ１１は小指１ｅの第１関節と第２関節との間の腹部に対応する部分に、スイッチＳＷ１２は小指１ｅの第２関節と第３関節との間の腹部に対応する部分に、それぞれ配置されている。
【００１４】
端末部１３は手袋１２が位置する手首部１２ｇの一部に設けられており、制御部１３ａ、通信部１３ｂおよび電源部１３ｃを概略備えている。制御部１３ａには、各スイッチＳＷが電気配線１４を介してそれぞれ接続されている。制御部１３ａは各スイッチＳＷが押圧（接続）されたかどうかを検出し、各スイッチＳＷに予め割り振られている記号（キー情報）に対応するキー信号を通信部１３ｂを介して無線送信する。なお、端末部１３は手袋１２の手首部１２ｇ以外の部分（親指部１２ａ、人差指部１２ｂ、中指部１２ｃ、薬指部１２ｄ、小指部１２ｅ、または手のひら部１２ｆ）に設けてもよい。
【００１５】
各スイッチＳＷ１〜ＳＷ１２に割り振る記号（キー情報）としては、どのような記号でもよいが、本実施形態では、主としてテンキーとして用いることができるように、スイッチＳＷ１には数字「１」が、スイッチＳＷ２には数字「２」が、スイッチＳＷ３には数字「３」が、スイッチＳＷ４には数字「４」が、スイッチＳＷ５には数字「５」が、スイッチＳＷ６には数字「６」が、スイッチＳＷ７には数字「７」が、スイッチＳＷ８には数字「８」が、スイッチＳＷ９には数字「９」が、スイッチＳＷ１０には符号「＃」が、スイッチＳＷ１１には数字「０」が、スイッチＳＷ１２には符号「＊」が、それぞれ割り振られているものとする。なお、各スイッチＳＷ１〜ＳＷ１２に対する記号の割り振りは、予め固定的に設定しておいてもよいし、適宜にデフォルト設定されたものをユーザーが任意に変更できるようにしてもよい。
【００１６】
この指入力デバイス１１は操作キーを目視しなくても操作し得るものであるため、手袋１２に配置された各スイッチＳＷの位置を視覚的に認識できる必要は必ずしもないが、本実施形態では、目視しての操作も行い得るようにするため、手袋１２の各スイッチＳＷに対応する部分に、該スイッチＳＷが存在することを視認させるための表示を設けている。この表示としては、例えば、図１に示すように、丸や長丸などの図形を例示することができる。この表示としては、各スイッチＳＷ１〜ＳＷ１２にそれぞれ割り振られた記号の内容（「１」〜「９」，「＃」，「０」，「＊」）を図形表示するようにしてもよい。
【００１７】
また、このように視覚的な表示に加えて、またはそれとは別に、手袋１２の各スイッチＳＷに対応する部分に、該スイッチＳＷが存在することを触覚的に認識させる手段（例えば、凸部や凹部、ざらざら感など）を設けてもよい。この場合において、例えば、スイッチＳＷ１に対応して１つの凸部を、スイッチＳＷ２に対応して２つの凸部を、スイッチＳＷ３に対応して３つの凸部を設けるなど、各スイッチＳＷに割り振られた記号の内容を触覚的に認識できるようにしてもよい。
【００１８】
通信部１３ｂは、ヘッドマウントディスプレイ２が備える通信部２ａとの間で無線通信する手段であり、通信部１３ｂとしては、無線ＬＡＮモジュールやＢｌｕｅｔｏｏｔｈ（ブルートゥース）モジュールなどを例示することができる。なお、通信部１３ｂとしては、このような無線通信モジュールに加えて、またはそれとは別に、ＵＳＢインターフェースなどを用いて有線接続して通信するモジュールを設けてもよい。電源部１３ｃは制御部１３ａや通信部１３ｂに電力を供給するバッテリーであり、交換式のボタン電池や充電式の電池を用いることができる。
【００１９】
指入力デバイス１１（手袋１２）を、図３に示すように、人体の手１に装着し、例えば、図４に示すように、親指１ａの先端部でスイッチＳＷ３を押圧すると、制御部１３ａはスイッチＳＷ３が閉じた（導通した）ことを検出し、通信部１３ｂを介して、スイッチＳＷ３に対応する記号（ここでは、数字「３」）に係るキー信号が無線送信され、ヘッドマウントディスプレイ２において、通信部２ａを介して受信される。他のスイッチＳＷ１，ＳＷ２，ＳＷ４〜ＳＷ１２についても同様に親指１ａの先端部で押圧することにより操作することができる。なお、ここでは、指入力デバイス１１を装着した手（例えば、左手）の親指１ａの先端部で操作（スイッチＳＷの押圧）を行うようにしているが、指入力デバイス１１を装着していない手（例えば、右手）の手指の先端部で操作することも可能である。
【００２０】
上述したように、手袋１２を手１に装着し、該手１の親指１ａの先端部で各スイッチＳＷを操作することができる。このとき、一般に、人間は、自己の手１の親指１ａの先端部と他の手指（人差指１ｂ、中指１ｃ、薬指１ｄ、小指１ｅ）の各腹部との位置関係は感覚的に認識しており、または完全に認識していないまでも少しの練習により簡単に体得することができるので、操作キーとしての各スイッチＳＷに対応する表示を目視しなくても確実に操作することができる。
【００２１】
なお、上述した第１実施形態では、手袋１２は人体の手１の全体を覆うものを例示したが、親指１ａの先端部で操作する際の感覚を鋭敏なものとするため、親指部１２ａの全部または一部（特に、親指部１２ａの先端部）を省略することが好ましい。手のひら部１２ｆの全部または一部を省略してもよい。また、手首部１２ｇを省略してもよい。手首部１２ｇを省略する場合には、端末部１３は他の部分に設けるか、別途リストバンドなどに組み込んで、手首に装着するようにしてもよい。
【００２２】
また、上述した第１実施形態では、各スイッチＳＷは、手指部１２ｂ，１２ｃ，１２ｄ，１２ｅの各腹部に対応する位置、即ち手のひら側（手の甲と反対側）に設けたが、手指１２ｂ，１２ｃ，１２ｄ，１２ｅの各腹部の反対側に対応する位置、即ち手の甲側に設けてもよい。例えば、図５に示すように、手袋１２の人差指部１２ｂの爪部（先端と第１関節との間の部分）に対応する部分にスイッチＳＷ１３を、中指部１２ｃの爪部に対応する部分にスイッチＳＷ１４を、薬指部１２ｄの爪部に対応する部分にスイッチＳＷ１５を、小指部１２ｅの爪部に対応する部分にスイッチＳＷ１６を設けることができる。この場合において、スイッチＳＷ１３〜ＳＷ１６には、例えば、方向キー（上下左右の矢印キー）を割り当てることができる。スイッチＳＷ１３〜ＳＷ１６には、例えば、ファンクションキーを割り当ててもよい。これらのスイッチＳＷ１３〜ＳＷ１６は、親指１ａの先端部で操作することができる。例えば、スイッチＳＷ１３を操作する場合には、図６に示すように、親指１ａの先端部で操作する。また、手袋１２の親指部１２ａの爪部に対応する位置にスイッチＳＷ１７を設けてもよい。この場合のスイッチＳＷ１７の操作は、図７に示すように、例えば、人差指１ｂの先端部で行うことができる。スイッチＳＷ１７には、例えば、エンターキー（決定キー、実行キー）を割り当てることができる。
【００２３】
さらに、スイッチＳＷは、手指部１２ｂ，１２ｃ，１２ｄ，１２ｅのみならず、手のひら部１２ｆの親指１ａの先端部で操作可能な位置に設けてもよい。例えば、手指（人差指１２ｂ、中指１２ｃ、薬指１２ｄ、小指１２ｅ）の付け根の部分に対応する位置に配置してもよい。
【００２４】
上述した第１実施形態では、各スイッチＳＷは、装着手段としての手袋１２に設けた場合を例示したが、各スイッチＳＷをそれぞれ独立してシート状に形成して、装着手段としての例えば両面テープなどの貼着部材で各手指（親指１ａ、人差指１ｂ、中指１ｃ、薬指１ｄ、小指１ｅ）の該当箇所に直接貼り付けるようにしてもよい。また、各スイッチＳＷをそれぞれ指輪や指ベルトなどに装着して、各指輪や指ベルトなどを各手指（親指１ａ、人差指１ｂ、中指１ｃ、薬指１ｄ、小指１ｅ）の該当箇所にはめ込むまたは巻き付けて装着するようにしてもよい。また、装着手段としての手袋１２に代えて、各手指（人差指１ｂ、中指１ｃ、薬指１ｄ、小指１ｅ）毎にそれぞれ指サックを設け、各指サックに３つのスイッチ（例えば、人差指１ｂについてのスイッチＳＷ１〜ＳＷ３）を設けてもよい。
【００２５】
また、上述した第１実施形態では、手袋１２に設けられる各スイッチＳＷとしては、押圧またはその解除により接点が開閉するプッシュキーを採用したが、手袋１２の各スイッチＳＷとして金属シートなどからなる導電性部材を設け、親指１ａの先端部に同じく金属シートなどからなる導電性部材を設けて、これらの導電性部材間の導通の有無を電気的に検出するようにしてもよい。手袋１２を省略して、導電性部材を例えば両面テープなどの貼着部材で各手指（親指１ａ、人差指１ｂ、中指１ｃ、薬指１ｄ、小指１ｅ）の該当箇所に直接貼り付け、あるいは導電性部材としての指輪を各手指（親指１ａ、人差指１ｂ、中指１ｃ、薬指１ｄ、小指１ｅ）の該当箇所にはめ込むようにしてもよい。
【００２６】
〔第２実施形態〕
以下、本発明の第２実施形態について、図８〜図１１を参照して説明する。この第２実施形態の指入力デバイス２１は、上述した第１実施形態と同様に、ヘッドマウントディスプレイ（ＨＭＤ）を人体の頭部に装着した状態で、人体の手に装着して用いることができる入力装置（キーボード）である。なお、上述した第１実施形態と同一の部分については同一の符号を付して、その説明の一部を省略する。
【００２７】
第２実施形態の指入力デバイス２１は、人体の手１の親指１ａの先端部に着脱可能に装着されるスイッチ手段としてのスイッチＳＷ２１と、親指１ａの先端部の所定の基準に対する角度を検出する検出手段（２５，２６）と、スイッチＳＷ２１の操作が検出された際の該検出手段による検出角度に応じたキー信号を出力する制御手段としての端末部２３と、電気配線２４とを概略備えて構成されている。スイッチＳＷ２１は、親指１ａが挿入される装着手段としての親指サック部材２５の先端部に設けられている。親指サック部材２５はプラスチックなどから形成され、その形状を保持する程度の剛性を有しており、人体の手首１ｇに着脱可能に装着される腕輪２２に不図示の自在継手などを介して回動自在に軸支されている。なお、この第２実施形態の指入力デバイス２１は左手用である。但し、右手用であってもよい。
【００２８】
スイッチＳＷ２１としては、本実施形態では、薄いシート状に形成され、押圧された場合に接点が機械的に閉じて電気的に導通され、押圧が解除されることにより接点が機械的に開いて電気的に導通が切断されるプッシュキーが用いられている。
【００２９】
端末部２３は腕輪２２に設けられており、制御部２３ａ、通信部２３ｂ、電源部２３ｃ、および角度検出部２６を概略備えている。制御部２３ａには、スイッチＳＷ２１が電気配線２４を介して接続されている。角度検出部２６は、親指サック部材２５の所定の基準に対する回転角度を検出する手段であり、角度検出部２６としては、例えば、親指サック部材２５の回転動作を電気信号に変換して検出するロータリーエンコーダを用いることができる。
【００３０】
制御部２３ａは、複数の角度とこれらに対応する位置（後述するＰ１〜Ｐ１２）および記号（キー情報）が設定されたデータデーブルを不図示のメモリに予め記憶保持しており、スイッチＳＷ２１が押圧（導通）されたかどうかを検出し、そのときの角度検出部２６の出力（検出角度）に基づいて、該データテーブルを参照し、該検出角度に対応する位置を特定し、対応するキー信号を通信部２３ｂを介して無線送信する。
【００３１】
上述した角度検出の所定の基準およびデータテーブルは以下のような手順により採取して、予め不図示のメモリに記憶させておく。即ち、図１０に示すように、指入力デバイス２１の腕輪２２を人体の手首１ｇに装着するとともに、親指サック部材２５に親指１ａを挿入し、手を開いた状態とし、このときに角度検出部２６により検出される角度をゼロリセットし、これを上述した所定の基準とする。データテーブルは以下のように作成する。例えば、図１１に示すように、親指１ａの先端部（スイッチＳＷ２１の部分）を人差指１ｂの第２関節と第３関節との間の腹部に相当する位置Ｐ３に設定して押圧し、このときの角度検出部２６の出力（検出角度）を該位置Ｐ３との関係においてメモリに記憶させる。この操作を、位置Ｐ１，Ｐ２，Ｐ４〜Ｐ１２についても同様に行い、各位置Ｐ１〜Ｐ１２とこれらに対応する検出角度との関係をデータテーブルとしてメモリに記憶させる。
【００３２】
また、各位置Ｐ１〜Ｐ１２に対応して、記号（キー情報）を割り振ってデータテーブルに記憶させておく。各位置Ｐ１〜Ｐ１２に割り振る記号としては、どのような記号でもよいが、本実施形態では、主としてテンキーとして用いることができるように、位置Ｐ１には数字「１」が、位置Ｐ２には数字「２」が、位置Ｐ３には数字「３」が、位置Ｐ４には数字「４」が、位置Ｐ５には数字「５」が、位置Ｐ６には数字「６」が、位置Ｐ７には数字「７」が、位置Ｐ８には数字「８」が、位置Ｐ９には数字「９」が、位置Ｐ１０には符号「＃」が、位置Ｐ１１には数字「０」が、位置Ｐ１２には符号「＊」が、それぞれ割り振られているものとし、これらに対応するキー情報が上述のメモリのデータテーブルに予め設定されているものとする。なお、各位置Ｐ１〜Ｐ１２に対する記号の割り振りは、予め固定的に設定しておいてもよいし、適宜にデフォルト設定されたものをユーザーが任意に変更できるようにしてもよい。
【００３３】
通信部２３ｂおよび電源部２３ｃは、上述した第１実施形態の通信部１３ｂおよび電源部１３ｃと同様であるので、その説明は省略する。
【００３４】
指入力デバイス２１を、図１０に示すように、人体の手１に装着し、例えば、図１１に示すように、親指１ａの先端部で位置Ｐ３を押圧すると、スイッチＳＷ２１が閉じ、制御部２３ａはスイッチＳＷ２１が導通（接続）したことを検出し、そのときの角度検出部２６による検出角度に基づいて不図示のメモリのデータテーブルを参照し、位置Ｐ３を特定し、該位置Ｐ３に対応するキー情報を抽出して、通信部２３ｂを介して、位置Ｐ３に対応する記号（ここでは、数字「３」）に係るキー信号を無線送信する。このキー信号は、ヘッドマウントディスプレイ２において、通信部２ａを介して受信される。他の位置Ｐ１，Ｐ２，Ｐ４〜Ｐ１２についても同様に親指１ａの先端部で押圧することにより操作することができる。
【００３５】
上述したように、指入力デバイス２１は、腕輪２２および親指サック部材２５を手１に装着し、該手１の親指１ａの先端部で他の手指（人差指１ｂ、中指１ｃ、薬指１ｄ、小指１ｅ）の所望の腹部を押圧することにより、操作することができる。このとき、一般に、人間は、自己の手１の親指１ａの先端部と他の手指（人差指１ｂ、中指１ｃ、薬指１ｄ、小指１ｅ）の各腹部との位置関係は感覚的に認識しており、または完全に認識していないまでも少しの練習により簡単に体得することができるので、各位置Ｐ１〜Ｐ１２を目視しなくても確実に操作することができる。
【００３６】
上述した第２実施形態では、位置Ｐ１〜Ｐ１２は、各手指（人差指１ｂ、中指１ｃ、薬指１ｄ、小指１ｅ）に設定したが、手のひら１ｆの親指１ａの先端部で押圧可能な位置に設けてもよい。例えば、各手指（人差指１ｂ、中指１ｃ、薬指１ｄ、小指１ｅ）の付け根の部分に設定してもよい。
【００３７】
上述した第２実施形態では、スイッチＳＷ２１は、装着手段としての親指サック部材２５に設けた場合を例示したが、スイッチＳＷ２１を独立してシート状に形成して、装着手段としての例えば両面テープなどの貼着部材で親指１ａの先端部に貼り付けるようにしてもよい。また、スイッチＳＷ２１を指輪や指ベルトなどに装着して、該指輪や指ベルトなどを親指１ａの先端部にはめ込むまたは巻き付けて装着するようにしてもよい。
【００３８】
また、上述した第２実施形態では、親指サック部材２５および角度検出部２６を備えて構成される角度検出手段により、親指１ａの先端部と他の手指（人差指１ｂ、中指１ｃ、薬指１ｄ、小指１ｅ）の各腹部との位置関係を特定するようにしたが、親指１ａの先端部に加速度センサを設け、該加速度センサにより検出される親指１ａの先端部の動きを検出して、他の手指（人差指１ｂ、中指１ｃ、薬指１ｄ、小指１ｅ）の各腹部等との位置関係を特定するようにしてもよい。
【００３９】
上述したように、第１実施形態の指入力デバイス１１および第２実施形態の指入力デバイス２１は、キーボードを目視することが難しいヘッドマウントディスプレイの入力装置として用いて特に好適である。但し、用いる対象はそのようなヘッドマウントディスプレイに限られず、パーソナルコンピュータ、タブレット型コンピュータ、デジタルカメラ、携帯電話、ＰＤＡ、デジタルゲーム機、デジタルテレビジョン受像機、電卓、電子鍵などに対する入力装置とて用いることもできる。
【００４０】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【符号の説明】
【００４１】
１…手、１ａ…親指、１ｂ…人差指、１ｃ…中指、１ｄ…薬指、１ｅ…小指、１ｆ…手のひら、１ｇ…手首、２…ヘッドマウントディスプレイ、１１…指入力デバイス、１２…手袋、１３…端末部、１３ａ…制御部、１３ｂ…通信部、１４…電気配線、ＳＷ（ＳＷ１〜ＳＷ１７）…スイッチ、２１…指入力デバイス、２２…腕輪、２３…端末部、２３ａ…制御部、２３ｂ…通信部、２４…電気配線、２５…親指サック部材、２６…角度検出部、Ｐ１〜Ｐ１２…位置。
【図１】
2012181792.tif 000003
【図２】
2012181792.tif 000004
【図３】
2012181792.tif 000005
【図４】
2012181792.tif 000006
【図５】
2012181792.tif 000007
【図６】
2012181792.tif 000008
【図７】
2012181792.tif 000009
【図８】
2012181792.tif 000010
【図９】
2012181792.tif 000011
【図１０】
2012181792.tif 000012
【図１１】
2012181792.tif 000013